(57)【特許請求の範囲】
【請求項１】
輸送対象物品を収容するための収容空間（5）を形成するコンテナ本体（2）に取り付けられる輸送用冷凍装置（10）であって、
上記コンテナ本体（2）の内部と外部とを仕切る隔壁（12）と、
第１面（15a）が上記収容空間（5）に面し、該第１面（15a）の反対側の第２面（15b）が上記隔壁（12）と向かい合う位置に設けられた仕切板（15）と、
上記隔壁（12）と上記仕切板（15）との間に設けられ、上記コンテナ本体（2）の内部空気を冷却する熱交換器（60）と、
上記熱交換器（60）の下側に設けられ、上記熱交換器（60）に付着した霜を加熱するヒータ（H）と、
上記仕切板（15）の第２面（15b）に設けられた断熱部（I）とを備え、
上記隔壁（12）と上記ヒータ（H）との最短距離である第１距離Ｓ１と、上記仕切板（15）と上記ヒータ（H）との最短距離である第２距離Ｓ２とが、Ｓ１＜Ｓ２の関係を満たし、
上記断熱部（I）は、上記仕切板（15）の第２面（15b）の一部を覆う第１部材（90）と、該第１部材（90）と上記仕切板（15）との間に形成される空気層（91）とで構成され、
上記第１部材（90）は、
上記仕切板（15）に沿った板状に形成されて上記ヒータ（H）の側方に位置する第１正面部（90a）と、
上記仕切板（15）に沿った板状に形成されて上記熱交換器（60）の側端部と接触するとともに、上記仕切板（15）との距離が上記第１正面部（90a）と上記仕切板（15）との距離よりも短い第２正面部（90b）と、
上記第１正面部（90a）の上端と上記第２正面部（90b）の下端を繋ぐ板状に形成されて上記熱交換器（60）の下面の一部と接触する連続部（90c）とを含むことを特徴とする輸送用冷凍装置。
【請求項２】
請求項１において、
上記仕切板（15）は、金属で構成され、
上記断熱部（I）は、上記仕切板（15）の第２面（15b）における、上記隔壁（12）側から見たときに上記ヒータ（H）と重なる部分に設けられることを特徴とする輸送用冷凍装置。
【請求項３】
請求項２において、
上記断熱部（I）は、
上記隔壁（12）側から見たときに上記ヒータ（H）と重なる部分に設けられた第１断熱部（I1）と、
上記仕切板（15）の第２面（15b）と上記熱交換器（60）との間に設けられるとともに、上記熱交換器（60）と接触している第２断熱部（I2）とを備える
ことを特徴とする輸送用冷凍装置。
【請求項４】
請求項２又は３において、
上記断熱部（I）は、表面が金属箔で覆われた断熱材であることを特徴とする輸送用冷凍装置。
【請求項５】
請求項１〜４のいずれか１つに記載の輸送用冷凍装置（10）と、
コンテナ本体（2）とを備えることを特徴とする輸送用コンテナ。
【発明の詳細な説明】
【技術分野】
【０００１】
本開示は、輸送用冷凍装置、及び輸送用コンテナに関するものである。
【背景技術】
【０００２】
特許文献１には、輸送用冷凍装置の熱交換器が開示されている。輸送用冷凍装置は、コンテナ本体に設けられる。熱交換器は、輸送用冷凍装置の冷媒回路に接続される。熱交換器は、コンテナ本体の内部の空気を冷却する。熱交換器の下側には、ヒータが配置される。
【先行技術文献】
【特許文献】
【０００３】
【特許文献１】米国特許出願公開第２００９／０２１１２８９号
【発明の概要】
【発明が解決しようとする課題】
【０００４】
コンテナ本体の内部には、輸送対象物品が収容される。輸送用冷凍装置は、コンテナ本体の内部と外部とを仕切る隔壁と、該隔壁と対向して配置される仕切板とを有する。熱交換器及びヒータは、隔壁と仕切板との間に配置される。輸送対象物品は、コンテナ本体の内部において、仕切板の近傍まで収容される場合がある。
【０００５】
ところで、ヒータが発熱した際、ヒータの熱が仕切板に伝わると、ヒータの熱が仕切板を介して輸送対象物品に伝わる。仕切板に近接した輸送対象物品に熱が伝わると、輸送対象物品の温度が上昇して、品質が低下するおそれがあった。
【０００６】
本開示の目的は、ヒータの熱が仕切板に伝わることを抑制することにある。
【課題を解決するための手段】
【０００７】
本開示の第１の態様は、輸送対象物品を収容するための収容空間（5）を形成するコンテナ本体（2）に取り付けられる輸送用冷凍装置（10）である。輸送用冷凍装置（10）は、上記コンテナ本体（2）の内部と外部とを仕切る隔壁（12）と、第１面（15a）が上記収容空間（5）に面し、該第１面（15a）の反対側の第２面（15b）が上記隔壁（12）と向かい合う位置に設けられた仕切板（15）と、上記隔壁（12）と上記仕切板（15）との間に設けられ、上記コンテナ本体（2）の内部空気を冷却する熱交換器（60）と、上記熱交換器（60）に付着した霜を加熱するヒータ（H）を備える。輸送用冷凍装置（10）は、上記隔壁（12）と上記ヒータ（H）との最短距離である第１距離Ｓ１と、上記仕切板（15）と上記ヒータ（H）との最短距離である第２距離Ｓ２とが、Ｓ１＜Ｓ２の関係を満たすことを特徴とする。
【０００８】
第１の態様では、Ｓ１＜Ｓ２の関係を満たすので、ヒータ（H）が発熱した際に、仕切板（15）に熱が伝わることを抑制できる。
【０００９】
本開示の第２の態様は、第１の態様において、上記仕切板（15）は、金属で構成され、上記仕切板（15）の第２面（15b）には、上記隔壁（12）側から見たときに上記ヒータ（H）と重なる部分に断熱部（I）が設けられることを特徴とする。
【００１０】
第２の態様では、仕切板（15）は金属で構成されるので、熱を伝えやすい。しかし、仕切板（15）の第２面（15b）には、隔壁（12）側から見たときにヒータ（H）と重なる部分に断熱部（I）が設けられるので、ヒータ（H）が発熱した際に、ヒータ（H）の熱が断熱部（I）に遮られて、仕切板（15）に伝わることを抑制できる。
【００１１】
本開示の第３の態様は、第２の態様において、上記断熱部（I）は、上記隔壁（12）側から見たときに上記ヒータ（H）と重なる部分に設けられた第１断熱部（I1）と、上記仕切板（15）の第２面（15b）と上記熱交換器（60）との間に設けられるとともに、上記熱交換器（60）と接触している第２断熱部（I2）とを備えることを特徴とする。
【００１２】
第３の態様では、仕切板（15）と熱交換器（60）との間に設けられた第２断熱部（I2）が熱交換器（60）と接触しているので、ヒータ（H）が発熱した際にヒータ（H）の熱が仕切板（15）に伝わることを抑制できる。
【００１３】
本開示の第４の態様は、第２又は第３の態様において、上記仕切板（15）に設けられる第１部材（90）と、該第１部材（90）と上記仕切板（15）との間に形成される空気層（91）とが上記断熱部（I）を構成することを特徴とする。
【００１４】
第４の態様では、断熱部（I）が第１部材（90）と空気層（91）とによって構成されるので、ヒータ（H）の発熱に伴って生じた熱が、第１部材（90）及び空気層（91）に遮られて、仕切板（15）に伝わることを抑制できる。
【００１５】
本開示の第５の態様は、第２又は第３の態様において、上記断熱部（I）は、表面が金属箔で覆われた断熱材であることを特徴とする。
【００１６】
第５の態様では、断熱部（I）が金属箔で覆われた断熱材なので、ヒータ（H）から放射された放射熱が金属箔に当たって反射し、仕切板（15）に伝わることを抑制できる。
【００１７】
本開示の第６の態様は、第１〜第５の態様のいずれか１つに記載の輸送用冷凍装置（10）と、コンテナ本体（2）とを備える輸送用コンテナである。
【図面の簡単な説明】
【００１８】
【図１】図１は、実施形態１に係る輸送用コンテナを前側から見た斜視図である。
【図２】図２は、実施形態１に係る輸送用コンテナの内部構造を模式的に示す縦断面図である。
【図３】図３は、実施形態１に係る輸送用冷凍装置の冷媒回路の構成を示す配管系統図である。
【図４】図４は、実施形態１に係る庫内熱交換器、ヒータ管、及びそれらの支持構造を示す斜視図である。
【図５】図５は、実施形態１に係る庫内熱交換器、ヒータ管、及びそれらの支持構造を第２方向下側から見た図である。
【図６】図６は、実施形態１に係る第１支持板の近傍を拡大した斜視図である。
【図７】図７は、実施形態１に係る第２支持板の近傍を拡大した斜視図である。
【図８】図８は、実施形態１に係る中間支持板の近傍を拡大した斜視図である。
【図９】図９は、実施形態１に係る輸送用冷凍装置の内部構造を第１方向左側から見たときの縦断面におけるヒータ管周辺の拡大図である。
【図１０】図１０は、実施形態２に係る輸送用冷凍装置における図９相当図である。
【発明を実施するための形態】
【００１９】
以下、本開示の実施形態について図面を参照しながら説明する。なお、以下の実施形態は、本質的に好ましい例示であって、本発明、その適用物、あるいはその用途の範囲を制限することを意図するものではない。
【００２０】
《実施形態１》
本開示は、輸送用コンテナ（1）である。図１及び図２に示すように、輸送用コンテナ（1）は、コンテナ本体（2）と、コンテナ本体（2）に設けられる輸送用冷凍装置（10）とを備える。輸送用コンテナ（1）は、海上輸送に用いられる。輸送用コンテナ（1）は、船舶などの海上輸送体によって搬送される。
【００２１】
〈コンテナ本体〉
コンテナ本体（2）は、中空の箱状に形成される。コンテナ本体（2）は、横長に形成される。コンテナ本体（2）の長手方向の一端には、開口が形成される。コンテナ本体（2）の開口は、輸送用冷凍装置（10）によって塞がれる。コンテナ本体（2）の庫内には、輸送対象物品を収容するための収容空間（5）が形成される。収容空間（5）には、輸送対象物品が収容される。収容空間（5）の内部空気（庫内空気ともいう）の温度は、輸送用冷凍装置（10）によって調節される。
【００２２】
〈輸送用冷凍装置〉
輸送用冷凍装置（10）は、コンテナ本体（2）の開口に取り付けられる。輸送用冷凍装置（10）は、ケーシング（11）と冷媒回路（C）とを備える。
【００２３】
〈ケーシング〉
図２に模式的に示すように、ケーシング（11）は隔壁（12）と仕切板（15）とを備える。
【００２４】
隔壁（12）の内側には、庫内流路（20）が形成される。庫内流路（20）には、収容空間（5）の輸送対象物品を冷却するための空気が流れる。隔壁（12）の外側には、庫外室（S）が形成される。庫内流路（20）と庫外室（S）とは、隔壁（12）によって仕切られる。言い換えると、隔壁（12）は、コンテナ本体（2）の内部と外部とを仕切る。
【００２５】
隔壁（12）は、庫外壁（12a）と庫内壁（12b）とを備える。庫外壁（12a）は、コンテナ本体（2）の外側に位置する。庫内壁（12b）は、コンテナ本体（2）の内側に位置する。庫外壁（12a）及び庫内壁（12b）は、例えば、アルミニウム合金によって構成される。
【００２６】
庫外壁（12a）は、コンテナ本体（2）の開口を塞いでいる。庫外壁（12a）は、コンテナ本体（2）の開口の周縁部に取り付けられる。庫外壁（12a）の下部は、コンテナ本体（2）の内側に向かって膨出する。庫外壁（12a）のコンテナ本体（2）の内側に向かって膨出した部分には、庫外室（S）が形成される。
【００２７】
庫内壁（12b）は、庫外壁（12a）と対向する。庫内壁（12b）は、庫外壁（12a）に沿った形状を有する。庫内壁（12b）は、庫外壁（12a）と間隔を置いて配置される。庫内壁（12b）の下部は、コンテナ本体（2）の内側に向かって膨出する。庫内壁（12b）と庫外壁（12a）との間には、断熱材（13）が設けられる。
【００２８】
仕切板（15）は、庫内壁（12b）よりもコンテナ本体（2）の内側に配置される。仕切板（15）は、鉛直方向に延びる板状の部材である。仕切板（15）は、第１面（15a）と第２面（15b）を有する。第１面（15a）は、コンテナ本体（2）の収容空間（5）に面している。第２面（15b）は、第１面（15a）の反対側（庫内壁（12b）側）の面である。第２面（15b）は、隔壁（12）と向かい合う位置に設けられる。仕切板（15）は、隔壁（12）と間隔を置いて配置される。仕切板（15）は、金属（例えば、アルミニウム合金）によって構成される。
【００２９】
隔壁（12）と仕切板（15）との間には、庫内流路（20）が形成される。仕切板（15）の上端とコンテナ本体（2）の天板との間には、流入口（21）が形成される。仕切板（15）の下端と隔壁（12）の下端との間には、流出口（22）が形成される。庫内流路（20）は、流入口（21）から流出口（22）に亘って形成される。
【００３０】
庫内流路（20）は、上部流路（23）と下部流路（24）とを含む。上部流路（23）は、庫内流路（20）の上部に位置する。下部流路（24）は、庫内流路（20）の下部に位置する。下部流路（24）は、隔壁（12）の膨出した部分に対応する位置にある。
【００３１】
〈冷媒回路の要素部品〉
冷媒回路（C）は、それに充填される冷媒を有する。冷媒回路（C）は、冷媒が循環することで蒸気圧縮式の冷凍サイクルを行う。冷媒回路（C）は、圧縮機（31）、庫外熱交換器（32）、膨張弁（33）、庫内熱交換器（60）、及びこれらを接続する冷媒配管を含む。
【００３２】
圧縮機（31）は、庫外室（S）の下部に対応する第１空間（S1）に配置される。圧縮機（31）は、低圧の冷媒を吸い込んで圧縮する。圧縮機（31）は、圧縮した冷媒を高圧の冷媒として吐出する。
【００３３】
庫外熱交換器（32）は、庫外室（S）の上部に対応する第２空間（S2）に配置される。庫外熱交換器（32）は、フィンアンドチューブ式である。庫外熱交換器（32）は、いわゆる４面式の熱交換器である。庫外熱交換器（32）の外形は、正面視において、略四角形状である。言い換えると、庫外熱交換器（32）は、正面視において、上側、下側、右側、及び左側にそれぞれ熱交換部を有する。庫外熱交換器（32）は、凝縮器、あるいは放熱器として機能する。
【００３４】
庫内熱交換器（60）は、庫内流路（20）に配置される。庫内熱交換器（60）は、隔壁（12）と仕切板（15）との間に支持される。庫内熱交換器（60）は、庫内壁（12b）の膨出した部分よりも上方に配置される。庫内熱交換器（60）は、フィンアンドチューブ式である。庫内熱交換器（60）は、本開示の熱交換器に対応する。庫内熱交換器（60）は、蒸発器として機能する。庫内熱交換器（60）は、コンテナ本体（2）の内部空気（庫内空気）を冷却する。
【００３５】
〈庫外ファン〉
輸送用冷凍装置（10）は、１つの庫外ファン（34）を備える。庫外ファン（34）は、庫外室（S）の第２空間（S2）に配置される。庫外ファン（34）は、庫外熱交換器（32）の４つの熱交換部の内側に配置される。庫外ファン（34）は、プロペラファンである。
【００３６】
庫外ファン（34）が運転すると、庫外空気は庫外熱交換器（32）の外側から内側へ流れる。庫外熱交換器（32）の内部の空気は、ケーシング（11）の外部へ吹き出される。
【００３７】
〈庫内ファン〉
輸送用冷凍装置（10）は、２つの庫内ファン（35）を備える。庫内ファン（35）は、庫内流路（20）の上部流路（23）に配置される。庫内ファン（35）は、庫内熱交換器（60）の上側に配置される。庫内ファン（35）は、庫内熱交換器（60）よりも空気流れの上流側に配置される。庫内ファン（35）は、プロペラファンである。庫内ファン（35）の数量は１つ又は３つ以上であってもよい。
【００３８】
庫内ファン（35）が運転すると、収容空間（5）の庫内空気は流入口（21）から庫内流路（20）の上部流路（23）に流入する。庫内流路（20）の上部流路（23）の空気は、庫内熱交換器（60）、ヒータ管（70）を通過し、下部流路（24）を流れる。下部流路（24）の空気は、流出口（22）から収容空間（5）へ流出する。
【００３９】
〈ヒータ〉
輸送用冷凍装置（10）は、ヒータ（H）を備える。ヒータ（H）は、庫内熱交換器（60）の下側に配置される。ヒータ（H）は、庫内熱交換器（60）の下部に取り付けられる。ヒータ（H）が動作すると、庫内熱交換器（60）が加熱される。ヒータ（H）の熱により、庫内熱交換器（60）に付着した霜が融ける。ヒータ（H）は、庫内熱交換器（60）の除霜のために用いられる。言い換えると、ヒータ（H）は、庫内熱交換器（60）に付着した霜を加熱するために用いられる。
【００４０】
〈電装品箱〉
図１に示すように、輸送用冷凍装置（10）は、電装品箱（36）を有する。電装品箱（36）は、庫外室（S）の第２空間（S2）に配置される。電装品箱（36）の内部には、リアクトル、電源回路基板、制御基板などが収容される。
【００４１】
〈冷媒回路の詳細〉
図３を参照しながら冷媒回路（C）の詳細を説明する。図３において、破線で囲んだ部分は庫内側を示し、それ以外の部分は庫外側を示す。
【００４２】
冷媒回路（C）は、主要部品として、圧縮機（31）と、庫外熱交換器（32）と、膨張弁（33）と、庫内熱交換器（60）とを有する。膨張弁（33）は、その開度が調節可能な電子膨張弁である。
【００４３】
冷媒回路（C）は、吐出管（41）と吸入管（42）とを有する。吐出管（41）の一端は圧縮機（31）の吐出部に接続する。吐出管（41）の他端は、庫外熱交換器（32）のガス端に接続する。吸入管（42）の一端は、圧縮機（31）の吸入部に接続する。吸入管（42）の他端は、庫内熱交換器（60）のガス端に接続する。
【００４４】
冷媒回路（C）は、液管（43）、レシーバ（44）、冷却熱交換器（45）、第１開閉弁（46）、連通管（47）、第２開閉弁（48）、インジェクション管（49）、及びインジェクション弁（50）を有する。
【００４５】
液管（43）の一端は、庫外熱交換器（32）の液端に接続する。液管（43）の他端は、庫内熱交換器（60）の液端に接続する。レシーバ（44）は、液管（43）に設けられる。レシーバ（44）は、冷媒を貯留する容器である。
【００４６】
冷却熱交換器（45）は、第１流路（45a）と第２流路（45b）とを有する。冷却熱交換器（45）は、第１流路（45a）の冷媒と、第２流路（45b）の冷媒とを熱交換させる。冷却熱交換器（45）は、例えばプレート式の熱交換器である。第１流路（45a）は、液管（43）の一部である。第２流路（45b）は、インジェクション管（49）の一部である。冷却熱交換器（45）は、液管（43）を流れる冷媒を冷却する。
【００４７】
第１開閉弁（46）は、液管（43）におけるレシーバ（44）と第１流路（45a）との間の部分に設けられる。第１開閉弁（46）は、開閉可能な電磁弁である。
【００４８】
連通管（47）は、冷媒回路（C）の高圧ライン及び低圧ラインを連通させる。連通管（47）の一端は、吐出管（41）に接続する。連通管（47）の他端は、液管（43）における膨張弁（33）と庫内熱交換器（60）との間の部分に接続する。
【００４９】
第２開閉弁（48）は、連通管（47）に設けられる。第２開閉弁（48）は、開閉可能な電磁弁である。
【００５０】
インジェクション管（49）は、圧縮機（31）の中圧部に冷媒を導入する。インジェクション管（49）の一端は、液管（43）におけるレシーバ（44）と第１流路（45a）との間の部分に接続する。インジェクション管（49）の他端は、圧縮機（31）の中圧部に接続する。中圧部の圧力である中間圧力は、圧縮機（31）の吸入圧力と吐出圧力との間の圧力である。
【００５１】
インジェクション弁（50）は、インジェクション管（49）における第２流路（45b）の上流側の部分に設けられる。インジェクション弁（50）は、その開度が調節可能な電子膨張弁である。
【００５２】
〈輸送用冷凍装置の運転動作〉
輸送用冷凍装置（10）の基本的な運転動作について説明する。輸送用冷凍装置（10）の運転時には、圧縮機（31）、庫外ファン（34）、庫内ファン（35）が運転する。第１開閉弁（46）が開く。第２開閉弁（48）が閉じる。膨張弁（33）の開度が調節される。インジェクション弁（50）の開度が調節される。
【００５３】
圧縮機（31）で圧縮された冷媒は、庫外熱交換器（32）を流れる。庫外熱交換器（32）では、冷媒が庫外空気へ放熱し、凝縮する。凝縮した冷媒は、レシーバ（44）を通過する。レシーバ（44）を通過した冷媒の一部は、冷却熱交換器（45）の第１流路（45a）を流れる。レシーバ（44）を通過した冷媒の残部は、インジェクション管（49）を流れ、インジェクション弁（50）において中間圧力まで減圧される。減圧された冷媒は、圧縮機（31）の中圧部に導入される。
【００５４】
冷却熱交換器（45）では、第２流路（45b）の冷媒が第１流路（45a）の冷媒から吸熱し、蒸発する。これにより、第１流路（45a）の冷媒が冷却される。言い換えると、第１流路（45a）を流れる冷媒の過冷却度が大きくなる。
【００５５】
冷却熱交換器（45）で冷却された冷媒は、膨張弁（33）で低圧まで減圧される。減圧された冷媒は、庫内熱交換器（60）を流れる。庫内熱交換器（60）では、冷媒が庫内空気から吸熱し、蒸発する。この結果、庫内熱交換器（60）は、庫内空気を冷却する。蒸発した冷媒は、圧縮機（31）に吸入され、再び圧縮される。
【００５６】
コンテナ本体（2）の庫内空気は、収容空間（5）と庫内流路（20）とを循環する。庫内流路（20）では、庫内空気が庫内熱交換器（60）によって冷却される。これにより、収容空間（5）の庫内空気を冷却でき、庫内空気を所定温度に調節できる。
【００５７】
〈庫内熱交換器〉
図２、図４〜図８を参照しながら庫内熱交換器（60）の詳細を説明する。図２に示すように、庫内熱交換器（60）は、仕切板（15）から隔壁（12）に向かって水平よりもやや下方に傾いた状態でケーシング（11）に支持される。庫内熱交換器（60）は、多数のフィン（F）と、伝熱管（64）と、３つの管板（61,62,63）とを有する。
【００５８】
以下に述べる方向は、輸送用冷凍装置（10）を収容空間（5）側から視た場合を基準とする。図２及び図４における第１方向は、左右方向である。第１方向は、多数のフィン（F）の配列方向に対応する。図２及び図４における第２方向は、概ね上下方向に対応する。厳密には、第２方向は、フィン（F）の長手方向に直交する幅方向に対応する。図４における第３方向は、概ね前後方向に対応する。厳密には、第３方向は、フィン（F）の長手方向に対応する。
【００５９】
〈フィン〉
フィン（F）は、前後に延びる平行四辺形板状に形成される。フィン（F）は、空気と冷媒との伝熱面積を増大させる。多数のフィン（F）は、互いに平行となるように左右に配列される。
【００６０】
〈伝熱管〉
伝熱管（64）の内部には、庫内空気と熱交換する冷媒が流れる。伝熱管（64）は、直管と、図４に示すＵ字管（64a）とを含む。直管は、多数のフィン（F）の配列方向に延びている。
【００６１】
〈管板〉
３つの管板（61,62,63）は、第１管板（61）、第２管板（62）、及び中間管板（63）で構成される。第１管板（61）は、庫内熱交換器（60）の左側端部に配置される。第２管板（62）は、庫内熱交換器（60）の右側端部に配置される。中間管板（63）は、庫内熱交換器（60）の第１方向の中間部に配置される。
【００６２】
第１管板（61）と第２管板（62）との間には、多数のフィン（F）が配列される。第１管板（61）と第２管板（62）との間には、庫内空気が流れる熱交換領域（A）が形成される。熱交換領域（A）は、図５及び図９における一点鎖線で囲んだ領域である。
【００６３】
各管板（61,62,63）は、フィン（F）と平行に配置される略板状の部材である。各管板（61,62,63）には、伝熱管（64）が貫通する複数の貫通穴が形成される。各管板（61,62,63）は、伝熱管（64）を支持する部材である。
【００６４】
各管板（61,62,63）の前側端部は、隔壁（12）に固定される。各管板（61,62,63）の後側端部は、仕切板（15）に固定される。各管板（61,62,63）は、隔壁（12）及び仕切板（15）に固定されることで、ケーシング（11）に支持される。言い換えると、各管板（61,62,63）は、庫内熱交換器（60）をケーシング（11）に固定する部材を兼用する。
【００６５】
〈第１管板〉
図６に示すように、第１管板（61）は、第１支持板（65）を有する。第１支持板（65）は、第１管板（61）の下端部に形成される。第１支持板（65）は、第１管板（61）の本体から下方に突出した部分を折り返して成形される。第１支持板（65）は、第３方向に延びる横長に形成される。第１支持板（65）は、第２方向において、熱交換領域（A）と重ならない位置にある。
【００６６】
第１支持板（65）は、第１板部（65a）と第２板部（65b）とを含む。第１板部（65a）は、第１管板（61）を左側方に切り起こした部分である。第２板部（65b）は、第１板部（65a）の左縁部から下側へ突出する。第２板部（65b）は、フィン（F）と略平行な板状に形成される。
【００６７】
〈第２管板〉
図７に示すように、第２管板（62）は、第２支持板（66）を有する。第２支持板（66）は、第２管板（62）の下端部に形成される。第２支持板（66）は、第２管板（62）を右側方に切り起こした部分である。第２支持板（66）は、第３方向に延びている。第２支持板（66）の下面には、クリップ部材（80）を介してヒータ管（70）の発熱管部（70A）が保持される。
【００６８】
〈中間管板〉
図８に示すように、中間管板（63）は、中間支持板（67）を有する。中間支持板（67）は、中間管板（63）の下端に形成される。中間支持板（67）は、第３方向に延びている。中間支持板（67）には、複数の切り欠き（68）が形成される。複数の切り欠き（68）は、第３方向に配列される。複数の切り欠き（68）の各々は、第１切り欠き部（68a）と第２切り欠き部（68b）とをそれぞれ含む。
【００６９】
第１切り欠き部（68a）は、中間支持板（67）の下縁から上側に延びる。第２切り欠き部（68b）は、第１切り欠き部（68a）と連続する。第２切り欠き部（68b）は、第１切り欠き部（68a）の上端から第３方向前側に延びる。言い換えると、第２切り欠き部（68b）は、第１切り欠き部（68a）の上端から斜め下方に延びる。各第２切り欠き部（68b）には、ヒータ管（70）のストレート部（71）がそれぞれ引っ掛けられる。ヒータ管（70）が庫内熱交換器（60）に取り付けられるとき、第２切り欠き部（68b）は、ヒータ管（70）を仮置きする仮置き部として機能する。第２切り欠き部（68b）は、ヒータ管（70）を引っ掛ける引っ掛け部である。
【００７０】
〈ヒータの詳細〉
図４〜図８に示すように、ヒータ（H）は、３つのヒータ管（70）を有する。ヒータ管（70）の数量は、１つ、２つ、又は４つ以上であってもよい。各ヒータ管（70）は、略Ｕ字形状である。各ヒータ管（70）は、厳密にいうと、熱を発する発熱管部（70A）と、熱を発しない非発熱管部（70B）とをそれぞれ有する。３つのヒータ管（70）は、庫内熱交換器（60）の下面に沿って配置される。３つのヒータ管（70）は、第３方向に所定の間隔を置いて配列される。
【００７１】
〈発熱管部〉
各発熱管部（70A）は、一対のストレート部（71）と１つの曲げ部（72）とをそれぞれ有する。発熱管部（70A）の内部には、熱源であるニクロム線が通っている。
【００７２】
一対のストレート部（71）は、第３方向に所定の間隔を置いて隣り合う。一対のストレート部（71）は、互いに等間隔を置くように第１方向に延びている。ストレート部（71）の一端は、第２管板（62）より内側（左側）に位置する。ストレート部（71）の他端は、第１管板（61）よりやや外側（左側）に位置する。
【００７３】
曲げ部（72）は、一対のストレート部（71）の一端を互いに連結する。曲げ部（72）は、円弧状、あるいは半円形状に形成される。
【００７４】
〈非発熱管部〉
図６に示すように、非発熱管部（70B）は、ストレート部（71）の他端側に配置される。非発熱管部（70B）は、ストレート部（71）から下側に延びる。非発熱管部（70B）は、第１支持板（65）に沿うように下側に延びる。非発熱管部（70B）は、可撓性のチューブを含んでもよい。可撓性のチューブは、例えばシリコン材料で構成される。非発熱管部（70B）は、第２方向において、熱交換領域（A）と重ならない位置にある。
【００７５】
〈ヒータ管の支持構造〉
庫内熱交換器（60）にヒータ管（70）を支持するための支持構造を説明する。支持構造は、固定板（75）、固定部材（76）、及びクリップ部材（80）を含む。
【００７６】
〈固定板〉
図８に示すように、固定板（75）は、ヒータ管（70）が仮置き状態であるときに、中間支持板（67）に取り付けられる。固定板（75）は、中間支持板（67）に沿って第３方向に延びている。固定板（75）の上縁には、複数の固定側切り欠き（75a）が形成される。各ストレート部（71）は、複数の固定側切り欠き（75a）をそれぞれ通る。固定板（75）は、中間支持板（67）と板厚方向に重なるように、ボルトなどの締結具によって中間支持板（67）に固定される。固定板（75）が中間支持板（67）に固定されると、第２切り欠き部（68b）の内縁と、固定側切り欠き（75a）の内縁との間にヒータ管（70）が保持される。
【００７７】
〈固定部材〉
図６に示すように、輸送用冷凍装置（10）は、非発熱管部（70B）を固定する固定部材（76）を有する。本実施形態の輸送用冷凍装置（10）は、ヒータ管（70）の数に対応して３つの固定部材（76）を有する。
【００７８】
各固定部材（76）は、固定部本体（76a）と、２つの押さえ板（76b）とをそれぞれ有する。固定部本体（76a）は、第３方向に延びる板状に形成される。固定部本体（76a）は、ボルトなどの締結具により、第１管板（61）に固定される。具体的には、固定部本体（76a）は、第１支持板（65）の第２板部（65b）の右側面に固定される。
【００７９】
一対の押さえ板（76b）は、固定部本体（76a）の第３方向の両端にそれぞれ１つずつ設けられる。一対の押さえ板（76b）は、１つのヒータ管（70）における一対の非発熱管部（70B）にそれぞれに対応する。押さえ板（76b）は、管状の非発熱管部（70B）の外周面に沿うように湾曲する。押さえ板（76b）は、非発熱管部（70B）と接触する円弧面を有する。固定部材（76）が第１管板（61）に固定されると、非発熱管部（70B）が第２板部（65b）に押し付けられる。非発熱管部（70B）は、熱交換領域（A）と第２方向に重ならない位置において、固定部材（76）によって庫内熱交換器（60）における第１管板（61）の第２板部（65b）に固定される。
【００８０】
〈クリップ部材の概要〉
図７に示すように、クリップ部材（80）は、第２管板（62）に固定される。クリップ部材（80）は、取付板（81）と、板ばね部（82）と、取付板（81）及び板ばね部（82）を連結する連結部（83）とを有する。クリップ部材（80）は、取付板（81）と板ばね部（82）との間にヒータ管（70）の曲げ部（72）を挟み込んで保持する。クリップ部材（80）は、ヒータ管（70）の第２方向の移動を規制する。
【００８１】
〈ヒータの配置の詳細〉
図９に示すように、ヒータ（H）は、庫内熱交換器（60）の下側に、庫内熱交換器（60）の下面に沿って配置される。ヒータ（H）は、庫内流路（20）における隔壁（12）寄りに配置されている。
【００８２】
ここで、隔壁（12）とヒータ（H）との最短距離を第１距離Ｓ１とし、仕切板（15）とヒータ（H）との最短距離を第２距離Ｓ２とする。具体的には、第１距離Ｓ１は、水平方向における、隔壁（12）の庫内壁（12b）と、隔壁（12）に最も近いヒータ管（70）の発熱管部（70A）との最短距離である。第２距離Ｓ２は、水平方向における、仕切板（15）の第２面（15b）と、仕切板（15）に最も近いヒータ管（70）の発熱管部（70A）との最短距離である。
【００８３】
本実施形態の輸送用冷凍装置（10）では、第１距離Ｓ１は、３３ｍｍであり、第２距離Ｓ２は、７８ｍｍである。輸送用冷凍装置（10）は、Ｓ１＜Ｓ２の関係を満たす。
【００８４】
言い換えると、ヒータ（H）の中央部（X）は、庫内流路（20）の中央線（Z）よりも隔壁（12）側に位置する。ヒータ（H）の中央部（X）は、隔壁（12）に最も近いヒータ管（70）の発熱管部（70A）の中心（C1）と、仕切板（15）に最も近いヒータ管（70）の発熱管部（70A）の中心（C2）とを結ぶ線分の中点である。庫内流路（20）の中央線（Z）は、水平方向における、隔壁（12）の庫内壁（12b）及び仕切板（15）の第２面（15b）から等距離にある点を通る仮想線である。
【００８５】
以上のように、ヒータ（H）は、庫内流路（20）における隔壁（12）寄りに配置されている。このため、ヒータ（H）が発熱した際に、ヒータ（H）の熱が仕切板（15）を介して収容空間（5）に収容された輸送対象物品に伝わることを抑制できる。
【００８６】
〈断熱部〉
図９に示すように、仕切板（15）の第２面（15b）には、断熱部（I）が設けられている。断熱部（I）は、庫内熱交換器（60）の後側から下方に向かって、仕切板（15）に沿って配置される。断熱部（I）は、カバー部材（90）と空気層（91）とで構成される。カバー部材（90）は、第１部材に対応する。
【００８７】
カバー部材（90）は、仕切板（15）の第２面（15b）の一部を覆う板状の部材である。カバー部材（90）は、第１方向に延びる横長に形成される。カバー部材（90）の第１方向の長さは、庫内熱交換器（60）の第１方向の長さと概ね同じである。カバー部材（90）は、仕切板（15）に固定される。カバー部材（90）は、仕切板（15）の第２面（15b）から隔壁（12）側に向かって凹んでいる。
【００８８】
カバー部材（90）は、第１正面部（90a）と、第２正面部（90b）と、連続部（90c）と、上面部（90d）と、下面部（90e）とを有する。下から上へ向かって順に、下面部（90e）と、第１正面部（90a）と、連続部（90c）と、第２正面部（90b）と上面部（90d）とが連続して形成されている。カバー部材（90）の右側面及び左側面は、その一部が板状の部材によって覆われている。
【００８９】
第１正面部（90a）は、ヒータ（H）の後側方に位置する。第１正面部（90a）は、庫内熱交換器（60）の下側に位置する。第２正面部（90b）は、庫内熱交換器（60）の後側方に位置する。第２正面部（90b）は、庫内熱交換器（60）における各フィン（F）の後側端部と接触している。
【００９０】
第１正面部（90a）及び第２正面部（90b）は、鉛直方向に延びる矩形状に形成されている。第１正面部（90a）及び第２正面部（90b）は、その長手方向が第１方向となり、その短手方向が鉛直方向となるように形成されている。第１正面部（90a）及び第２正面部（90b）は、仕切板（15）の第２面（15b）と間隔を置いて配置されている。第１正面部（90a）と仕切板（15）の第２面（15b）との距離は、第２正面部（90b）と仕切板（15）の第２面（15b）との距離よりも大きい。
【００９１】
連続部（90c）は、第１正面部（90a）の上端と、第２正面部（90b）の下端とを繋いでいる。連続部（90c）は、第１正面部（90a）及び第２正面部と同様に、長手方向が第１方向となるように形成されている。連続部（90c）は、庫内熱交換器（60）の下面の後側に沿っている。連続部（90c）の上面は、庫内熱交換器（60）における各フィン（F）の下面の一部と接触している。
【００９２】
上面部（90d）は、第２正面部（90b）の上端と、仕切板（15）の第２面（15b）とを繋いでいる。上面部（90d）は、第２正面部（90b）の上端から第３方向後側（仕切板（15）側）に延びる矩形状に形成されている。上面部（90d）は、その長手方向が第１方向となり、その短手方向が第３方向となるように形成されている。上面部（90d）は、仕切板（15）に向かって水平よりもやや上方傾いた状態で配置される。
【００９３】
下面部（90e）は、第１正面部（90a）の下端と、仕切板（15）の第２面（15b）とを繋いでいる。下面部（90e）は、第１正面部（90a）の下端から水平方向仕切板（15）側に延びる矩形状に形成されている。下面部（90e）は、概ね水平に配置されている。下面部（90e）は、水平方向に対して傾いて配置されてもよい。
【００９４】
空気層（91）は、カバー部材（90）と仕切板（15）の第２面（15b）との間に形成される。具体的には、空気層（91）は、カバー部材（90）における第１正面部（90a）、第２正面部（90b）、連続部（90c）、上面部（90d）、及び下面部（90e）と、仕切板（15）の第２面（15b）とによって囲まれた空間に存在する空気によって形成される。
【００９５】
断熱部（I）は、第１断熱部（I1）と第２断熱部（I2）とを備える。第１断熱部（I1）は、カバー部材（90）の第１正面部（90a）、連続部（90c）及び下面部（90e）と、空気層（91）のうち第１正面部（90a）に面する部分とで構成される。言い換えると、第１断熱部（I1）は、ヒータ（H）と仕切板（15）との間に配置されている。
【００９６】
第１断熱部（I1）の最上部は、ヒータ（H）の最上部よりも上に位置する。第１断熱部（I1）の最下部は、ヒータ（H）の最下部よりも下に位置する。隔壁（12）側から見て、カバー部材（90）の第１正面部（90a）と、全てのヒータ管（70）とが重なっている。言い換えると、第１断熱部（I1）は、隔壁（12）側から見て、ヒータ（H）と重なっている。第１断熱部（I1）は、ヒータ（H）と向かい合っている。ヒータ（H）は、隔壁（12）側から見て、カバー部材（90）の連続部（90c）又は下面部（90e）と重なっていてもよい。第１断熱部（I1）は、隔壁（12）側から見て、ヒータ（H）の一部と重なっていればよい。
【００９７】
第１断熱部（I1）は、ヒータ（H）と仕切板（15）との間に配置され、隔壁（12）側から見てヒータ（H）と重なっているので、ヒータ（H）の熱が仕切板（15）に直接伝わることを抑制できる。言い換えると、ヒータ（H）からの熱放射による仕切板（15）への伝熱を抑制できる。
【００９８】
第２断熱部（I2）は、カバー部材（90）の第２正面部（90b）及び上面部（90d）と、空気層（91）のうち第２正面部（90b）に面する部分とで構成される。言い換えると、第２断熱部（I2）は、庫内熱交換器（60）と仕切板（15）との間に配置されている。第２断熱部（I2）の最上部は、庫内熱交換器（60）の最上部よりも上に位置する。第２断熱部（I2）の最下部は、庫内熱交換器（60）の後側面の最下部と実質的に同じ位置である。
【００９９】
隔壁（12）側から見て、カバー部材（90）の第２正面部（90b）と、庫内熱交換器（60）の後側面の全面とが重なっている。第２断熱部（I2）は、庫内熱交換器（60）の各フィン（F）の後側面と接触している。第２断熱部（I2）は、庫内熱交換器（60）の後側面の全面と接触していればよい。カバー部材（90）の連続部（90c）は、庫内熱交換器（60）における各フィン（F）の下面と接触していなくてもよい。
【０１００】
第２断熱部（I2）は、庫内熱交換器（60）と仕切板（15）との間を埋めている。カバー部材（90）の連続部（90c）及び第２正面部（90b）は、庫内熱交換器（60）の各フィン（F）と接触している。このため、ヒータ（H）によって温められた空気が、庫内熱交換器（60）と仕切板（15）との間に侵入することを抑制できる。これにより、ヒータ（H）によって温められた空気で、仕切板（15）における庫内熱交換器（60）の後側の部分が温められるのを抑制できる。
【０１０１】
カバー部材（90）の第２正面部（90b）及び連続部（90c）が、庫内熱交換器（60）の各フィン（F）と接触しているので、仕切板（15）の熱容量が断熱部（I）及びフィン（F）の分だけ増加する。これにより、ヒータ（H）によって温められた空気の熱が断熱部（I）及びフィン（F）にも伝わり、仕切板（15）における断熱部（I）の後側の部分が温められるのを抑制できる。
【０１０２】
カバー部材（90）の右側面及び左側面における板状部材で覆われていない部分には、開口が形成されている。右側面及び左側面の開口によって、庫内流路（20）の上部流路（23）と断熱部（I）の空気層（91）とは連通している。カバー部材（90）の右側面及び左側面に開口が形成されているので、空気の自然対流によって、上部流路（23）を流れる空気は、カバー部材（90）の内部に流入できるとともに、空気層（91）の空気は、上部流路（23）に流出できる。これにより、ヒータ（H）によって温められた空気の熱が断熱部（I）の空気層（91）に伝わっても、空気層（91）の温度が上昇することを抑制できる。
【０１０３】
−実施形態１の特徴（１）−
本実施形態の輸送用冷凍装置（10）は、隔壁（12）とヒータ（H）との最短距離である第１距離Ｓ１と、仕切板（15）とヒータ（H）との最短距離である第２距離Ｓ２とが、Ｓ１＜Ｓ２の関係を満たす。
【０１０４】
本実施形態の輸送用冷凍装置（10）では、ヒータ（H）の端部と仕切板（15）とが離れているので、ヒータ（H）が発熱した際に生じる放射熱が、仕切板（15）に伝わることを抑制できる。これにより、仕切板（15）を介して輸送対象物品に伝わる熱を低減できる。その結果、輸送対象物品の温度上昇を抑制でき、輸送対象物品の品質が維持できる。
【０１０５】
−実施形態１の特徴（２）−
本実施形態の輸送用冷凍装置（10）の仕切板（15）は、金属で構成される。仕切板（15）の第２面（15b）には、隔壁（12）側から見たときにヒータ（H）と重なる部分に断熱部（I）が設けられる。
【０１０６】
本実施形態の仕切板（15）は金属で構成されるので、熱を伝えやすい。断熱部（I）は、仕切板（15）におけるヒータ（H）に最も近い部分に設けられているので、ヒータ（H）が発熱した際に、ヒータ（H）の熱が断熱部（I）に遮られて、仕切板（15）に伝わることを抑制できる。よって、輸送対象物品の温度上昇をより抑制できる。
【０１０７】
−実施形態１の特徴（３）−
本実施形態の輸送用冷凍装置（10）では、断熱部（I）は、第１断熱部（I1）と第２断熱部（I2）とを備える。第２断熱部（I2）は、仕切板（15）の第２面（15b）と熱交換器（60）との間に設けられるとともに、熱交換器（60）と接触している。
【０１０８】
本実施形態の輸送用冷凍装置（10）では、仕切板（15）と熱交換器（60）との間に設けられた第２断熱部（I2）が熱交換器（60）と接触しているので、ヒータ（H）が発熱した際にヒータ（H）の熱が仕切板（15）に伝わることを抑制できる。
【０１０９】
具体的には、ヒータ（H）によって温められた空気が、庫内熱交換器（60）と仕切板（15）との間に侵入することを抑制できる。これにより、ヒータ（H）によって温められた空気で、仕切板（15）における庫内熱交換器（60）の後側の部分が温められるのを抑制できる。
【０１１０】
また、カバー部材（90）の第２正面部（90b）及び連続部（90c）が、庫内熱交換器（60）の各フィン（F）と接触しているので、仕切板（15）の熱容量が断熱部（I）及びフィン（F）の分だけ増加する。これにより、ヒータ（H）によって温められた空気の熱が断熱部（I）及びフィン（F）にも伝わり、仕切板（15）における断熱部（I）の後側の部分が温められるのを抑制できる。その結果、輸送対象物品の温度上昇をより抑制できる。
【０１１１】
−実施形態１の特徴（４）−
本実施形態の輸送用冷凍装置（10）では、仕切板（15）に設けられるカバー部材（90）と、該カバー部材（90）と仕切板（15）との間に形成される空気層（91）とが断熱部（I）を構成する。
【０１１２】
本実施形態の輸送用冷凍装置（10）では、断熱部（I）がカバー部材（90）と空気層（91）とによって構成されるので、ヒータ（H）の発熱に伴って生じた熱が、カバー部材（90）及び空気層（91）に遮られて、仕切板（15）に伝わることを抑制できる。よって、輸送対象物品の温度上昇をより抑制できる。
【０１１３】
−実施形態１の変形例−
〈変形例１〉
本実施形態の輸送用冷凍装置（10）では、ヒータ（H）は、さらに隔壁（12）側に寄ってもよい。具体的には、２つのヒータ管（70）が、庫内流路（20）の中央線（Z）よりも隔壁（12）側に配置されてもよい。この場合、庫内流路（20）の中央線（Z）よりも隔壁（12）側にヒータ管（70）のストレート部（71）が４本配置される。庫内流路（20）の中央線（Z）よりも仕切板（15）側にヒータ管（70）のストレート部（71）が２本配置される。
【０１１４】
〈変形例２〉
本実施形態の輸送用冷凍装置（10）では、断熱部（I）は、複数のカバー部材（90）によって形成されてもよい。例えば、第１断熱部（I1）を形成する第１カバー部材と、第２断熱部（I2）を形成する第２カバー部材とが仕切板（15）に設けられてもよい。第１カバー部材は、第１正面部（90a）に相当する部分を含む。第２カバー部材は、第２正面部（90b）に相当する部分を含む。
【０１１５】
〈変形例３〉
本実施形態の輸送用冷凍装置（10）では、断熱部（I）は、断熱材で構成されてもよい。具体的には、断熱材は、仕切板（15）に沿って第１方向に延びる矩形板状に形成される。断熱材は、仕切板（15）に固定される。断熱材は、その表面が金属箔で覆われている。具体的には、断熱材の下面部、第１正面部、第２正面部、連続部及び上面部が金属箔で覆われている。
【０１１６】
断熱部（I）が断熱材なので、ヒータ（H）の発熱に伴って生じた熱が、断熱材に遮られて、仕切板（15）に伝わりにくくなる。断熱材を金属箔で覆うことによって、ヒータ（H）から放射された放射熱が金属箔に当たって反射し、仕切板（15）に伝わることを抑制できる。よって、輸送対象物品の温度上昇を抑制できる。
【０１１７】
《実施形態２》
本実施形態の輸送用冷凍装置（10）は、実施形態１の輸送用冷凍装置（10）において、断熱部（I）の構成を変更して、シール部材（96）を追加したものである。ここでは、本実施形態の輸送用冷凍装置（10）について、実施形態１の輸送用冷凍装置（10）と異なる点を説明する。
【０１１８】
〈断熱部〉
図１０に示すように、断熱部（I）は、庫内熱交換器（60）の下側に、仕切板（15）に沿って配置される。
【０１１９】
カバー部材（90）は、第１正面部（90a）と、上面部（90d）と、下面部（90e）とを有する。下から上へ向かって順に、下面部（90e）と、第１正面部（90a）と、上面部（90d）とが連続して形成されている。
【０１２０】
第１正面部（90a）は、鉛直方向に延びる矩形状に形成されている。第１正面部（90a）は、その長手方向が第１方向となり、その短手方向が鉛直方向となるように形成されている。第１正面部（90a）は、仕切板（15）の第２面（15b）と間隔を置いて配置されている。
【０１２１】
上面部（90d）は、第１正面部（90a）の上端と、仕切板（15）の第２面（15b）とを繋いでいる。上面部（90d）は、第１正面部（90a）の上端から第３方向後側（仕切板（15）側）に延びる矩形状に形成されている。上面部（90d）は、その長手方向が第１方向となり、その短手方向が第３方向となるように形成されている。言い換えると、上面部（90d）は、仕切板（15）に向かって水平よりもやや上方傾いた状態で配置される。
【０１２２】
下面部（90e）は、第１正面部（90a）の下端と、仕切板（15）の第２面（15b）とを繋いでいる。下面部（90e）は、第１正面部（90a）の下端から水平方向仕切板（15）側に延びる矩形状に形成されている。下面部（90e）は、概ね水平に配置されている。下面部（90e）は、水平方向に対して傾いて配置されてもよい。
【０１２３】
空気層（91）は、カバー部材（90）と仕切板（15）の第２面（15b）との間に形成される。具体的には、空気層（91）は、カバー部材（90）における第１正面部（90a）、上面部（90d）、及び下面部（90e）と、仕切板（15）の第２面（15b）とによって囲まれた空間に存在する空気によって形成される。
【０１２４】
断熱部（I）は、ヒータ（H）と仕切板（15）との間に配置されている。断熱部（I）の最上部は、ヒータ（H）の最上部よりも上に位置する。断熱部（I）の最下部は、ヒータ（H）の最下部よりも下に位置する。隔壁（12）側から見て、カバー部材（90）の第１正面部（90a）と、全てのヒータ管（70）とが重なっている。言い換えると、断熱部（I）は、隔壁（12）側から見て、ヒータ（H）と重なっている。断熱部（I）は、ヒータ（H）と向かい合っている。ヒータ（H）は、隔壁（12）側から見て、カバー部材（90）の上面部（90d）又は下面部（90e）と重なっていてもよい。断熱部（I）は、隔壁（12）側から見て、ヒータ（H）の一部と重なっていればよい。
【０１２５】
断熱部（I）は、ヒータ（H）と仕切板（15）との間に配置され、隔壁（12）側から見てヒータ（H）と重なっているので、ヒータ（H）の熱が仕切板（15）に直接伝わることを抑制できる。言い換えると、ヒータ（H）からの熱放射による仕切板（15）への伝熱を抑制できる。
【０１２６】
〈シール部材〉
仕切板（15）と庫内熱交換器（60）との間に、シール部材（96）が配置されている。シール部材（96）は、樹脂によって構成される。シール部材（96）は、第１シール部（96a）と、第２シール部（96b）と、第３シール部（96c）とを有する。第１シール部（96a）と、第２シール部（96b）と、第３シール部（96c）とは、上から下へこの順で連続して形成される。
【０１２７】
第１シール部（96a）は、仕切板（15）の第２面（15b）を覆うシート状に部分である。第１シール部（96a）は、仕切板（15）の第２面（15b）と庫内熱交換器（60）の後側面との間に形成される。第１シール部（96a）は、鉛直方向に延びる矩形状に形成されている。第１シール部（96a）の上端は、庫内熱交換器（60）の後側面の上端と同じ高さに位置する。第１シール部（96a）の下端は、庫内熱交換器（60）の後側面の下端と同じ高さに位置する。第１シール部（96a）は、庫内熱交換器（60）と仕切板（15）との間を埋めている。
【０１２８】
第２シール部（96b）は、庫内熱交換器（60）の下面とカバー部材（90）の上面部（90d）との間に形成される。第２シール部（96b）は、第１シール部（96a）の下端から下方に延びる。第２シール部（96b）は、庫内熱交換器（60）の全幅に亘って形成される。第２シール部（96b）の厚さは、第１シール部（96a）の厚さよりも大きい。第２シール部（96b）の上端面は、庫内熱交換器（60）の下面と接する。第２シール部（96b）の下端面の一部は、カバー部材（90）の上面部（90d）の全面と接する。第２シール部（96b）は、庫内熱交換器（60）とカバー部材（90）との間を埋めている。
【０１２９】
第３シール部（96c）は、カバー部材（90）の前側側方に形成される。第３シール部（96c）は、第２シール部（96b）の下端から下方に延びる。第３シール部（96c）は、庫内熱交換器（60）の全幅に亘って形成される。第３シール部（96c）の厚さは、第１シール部（96a）の厚さより大きく、第２シール部（96b）の厚さより小さい。第３シール部（96c）は、カバー部材（90）の第１正面部（90a）の上部と接する。第２シール部（96b）及び第３シール部（96c）は、カバー部材（90）の上部を覆っている。言い換えると、シール部材（96）の下部は、断熱部（I）の上部と接している。
【０１３０】
以上のように、シール部材（96）は、庫内熱交換器（60）と仕切板（15）との間、及び庫内熱交換器（60）とカバー部材（90）との間を埋めている。このため、ヒータ（H）によって温められた空気が、庫内熱交換器（60）と仕切板（15）との間、及び庫内熱交換器（60）とカバー部材（90）との間に侵入することを抑制できる。これにより、ヒータ（H）によって温められた空気で、仕切板（15）における庫内熱交換器（60）の後側の部分が温められるのを抑制できる。
【０１３１】
−実施形態２の特徴（１）−
本実施形態の輸送用冷凍装置（10）は、シール部材（96）を備える。シール部材（96）は、仕切板（15）と上記熱交換器（60）との間に配置される。シール部材（96）は、断熱部（I）と接している。
【０１３２】
本実施形態の輸送用冷凍装置（10）では、ヒータ（H）の発熱に伴って温められた空気が、熱交換器（60）と断熱部（I）との間、及び熱交換器（60）と仕切板（15）との間へ侵入することを抑えられる。その結果、温められた空気が仕切板（15）を介して収容空間（5）へ伝わりにくくなり、輸送対象物品の温度上昇をより抑制できる。
【０１３３】
《その他の実施形態》
上記実施形態については、以下のような構成としてもよい。
【０１３４】
輸送用コンテナ（1）は、陸上輸送に用いられてもよい。この場合、輸送用コンテナ（1）は、車両などの陸上輸送体によって搬送される。具体的には、輸送用コンテナ（1）は、トレーラに搭載される。
【０１３５】
ヒータ管（70）は、庫内空気の加熱又は除湿に用いられてもよい。庫内空気の除湿では、庫内熱交換器（60）が庫内空気を露点温度以下まで冷却し、庫内空気を除湿する。ヒータ管（70）は、除湿した空気を目標温度まで加熱する。
【０１３６】
庫内熱交換器（60）は、熱交換領域（A）が完全に水平な状態で配置されてもよい。庫内熱交換器（60）は、熱交換領域（A）が側方を向く状態で配置されてもよい。この場合にも、ヒータ管（70）は、熱交換領域（A）に沿うようにクリップ部材（80）に保持される。
【０１３７】
ヒータ管（70）の曲げ部（72）の形状は、円弧状、あるいは半円形状に限られない。曲げ部（72）は、略Ｕ状に形成されてもよく、略Ｖ字状に形成されてもよい。このように、曲げ部（72）は、滑らかな円弧状でなくてもよい。
【０１３８】
以上、実施形態および変形例を説明したが、特許請求の範囲の趣旨および範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【０１３９】
以上説明したように、本開示は、輸送用冷凍装置、及び輸送用コンテナについて有用である。
【符号の説明】
【０１４０】
1  輸送用コンテナ
2  コンテナ本体
5  収容空間
10  輸送用冷凍装置
12  隔壁
15  仕切板
15a  第１面
15b  第２面
60  庫内熱交換器（熱交換器）
90  カバー部材（第１部材）
91  空気層
96  シール部材
H  ヒータ
I  断熱部
X  中央部
Z  中央線
【図１】
0006974770.tif 000002
【図２】
0006974770.tif 000003
【図３】
0006974770.tif 000004
【図４】
0006974770.tif 000005
【図５】
0006974770.tif 000006
【図６】
0006974770.tif 000007
【図７】
0006974770.tif 000008
【図８】
0006974770.tif 000009
【図９】
0006974770.tif 000010
【図１０】
0006974770.tif 000011